(57)【要約】      （修正有）【課題】前後方向に沿う一対の前後折り目を基点に折り畳まれた吸収性物品の包装体において、装着時の不具合を抑制しつつ、着用時のフィット性を向上できる吸収性物品の包装体を提供する。【解決手段】吸収性物品１の包装体１００は、吸収性物品１と包装シート７０が重ねられた状態で、前後方向に沿う一対の前後折り目ＦＬを基点に、吸収性物品１の肌面側同士が向き合うように折り畳まれる。吸収性物品１は、着用物品に接合するための接合部と、吸収コアの折曲基点となる折曲基点部８０と、を有する。折曲基点部８０は、前後方向に延び、吸収性物品１の幅方向の中心を挟んだ幅方向の両側にそれぞれ配置されている。一対の前後折り目ＦＬは、展開状態において、吸収コアと重なり、かつ接合部と重ならない領域に配置されている。折曲基点部８０は、展開状態において、一対の前後折り目ＦＬのうち少なくとも一方の前後折り目ＦＬと重なる領域に配置されている。【選択図】図１
0003228704.tif 000002
【実用新案登録請求の範囲】
【請求項１】
互いに直交する前後方向及び幅方向と、
吸収コア及び前記吸収コアよりも肌面側に配置された肌面シートを有する吸収性物品と、
前記吸収性物品を個別に包装する包装シートと、を有し、
前記吸収性物品と前記包装シートが重ねられた状態で、前後方向に沿う一対の前後折り目を基点に、前記吸収性物品の肌面側同士が向き合うように折り畳まれる吸収性物品の包装体であって、
前記吸収性物品は、前記吸収性物品の非肌面において着用物品に接合するための接合部と、前記吸収コアの折曲基点となる折曲基点部と、を有し、
前記折曲基点部は、前記前後方向に延び、前記吸収性物品の前記幅方向の中心を挟んだ前記幅方向の両側にそれぞれ配置されており、
前記一対の前後折り目は、前記一対の前後折り目を基点に折り畳まれていない展開状態において、前記吸収コアと重なり、かつ前記接合部と重ならない領域に配置されており、
前記折曲基点部は、前記展開状態において、前記一対の前後折り目のうち少なくとも一方の前後折り目と重なる領域に配置されている、吸収性物品の包装体。
【請求項２】
前記折曲基点部は、前記展開状態において前記一対の前後折り目の両方と重なる領域に設けられている、請求項１に記載の吸収性物品の包装体。
【請求項３】
前記折曲基点部は、前記展開状態において前記包装体の厚さ方向の中心よりも肌面側に配置されている、請求項１又は請求項２に記載の吸収性物品の包装体。
【請求項４】
前記接合部は、前記吸収コアと重なる領域に配置された本体接合部を有し、
前記本体接合部は、前記一対の前後折り目間の領域のみに配置されている、請求項１から請求項３のいずれか１項に記載の吸収性物品の包装体。
【請求項５】
前記吸収性物品は、着用者の排泄口と対向する中央域、前記中央域よりも後側に位置する後側域、及び前記中央域よりも前側に位置する前側域を有し、
前記折曲基点部は、少なくとも前記吸収コアが厚さ方向に圧縮されたコア圧搾部を有し、
前記コア圧搾部は、少なくとも前記中央域に配置されている、請求項１から請求項４のいずれか１項に記載の吸収性物品の包装体。
【請求項６】
前記折曲基点部は、前記前後方向に沿い、かつ前記一対の前後折り目の両方と重なるように配置されている、請求項１から請求項５のいずれか１項に記載の吸収性物品の包装体。
【請求項７】
前記肌面シートは、前記前後方向に延びる凸部と、前記凸部よりも前記厚さ方向に凹み、かつ前記前後方向に延びる凹部と、を有し、
前記折曲基点部は、前記凸部及び前記凹部の少なくとも一方からなるシート凹凸部を有する、請求項１から請求項６のいずれか１項に記載の吸収性物品の包装体。
【請求項８】
前記吸収コアは、周囲よりも吸収材料の坪量が高い高坪量部を有しており、
前記高坪量部は、前記一対の前後折り目よりも前記幅方向の内側のみに配置されており、
前記高坪量部は、前記吸収コアにおける前記一対の前後折り目を基点に折り畳まれた部分と重ならない領域に配置されている、請求項１から請求項７のいずれか１項に記載の吸収性物品の包装体。
【請求項９】
前記吸収性物品と前記包装シートは、前記前後方向に沿う一対の前後折り目を基点に折り畳まれるとともに、前記幅方向に沿う一対の幅折り目を基点に折り畳まれており、
前記折曲基点部は、前記展開状態において、前記一対の幅折り目のうち少なくとも一方の折り目と重なる領域に配置されている、請求項１から請求項８のいずれか１項に記載の吸収性物品の包装体。
【請求項１０】
前記吸収コアは、前記一対の前後折り目に挟まれた領域において非肌面側に凹むコア凹部を有し、
前記接合部は、平面視にて前記コア凹部に重なる領域に配置されている、請求項１から請求項９のいずれか１項に記載の吸収性物品の包装体。
【請求項１１】
前記吸収性物品は、着用者の排泄口と対向する中央域、前記中央域よりも後側に位置する後側域、及び前記中央域よりも前側に位置する前側域を有し、
前記折曲基点部は、少なくとも前記吸収コアが厚さ方向に圧縮されたコア圧搾部を有し、
前記コア圧搾部は、前記中央域内において前記コア凹部を囲んで配置されている、請求項１０に記載の吸収性物品の包装体。
【請求項１２】
前記吸収性物品と前記包装シートは、前記前後方向に沿う一対の前後折り目を基点に折り畳まれるとともに、前記幅方向に沿う一対の幅折り目を基点に折り畳まれており、
前記吸収コアは、周囲よりも吸収材料の坪量が高い高坪量部を有し、
前記高坪量部は、前記一対の幅折り目によって折り畳まれていない状態において、前記一対の幅折り目よりも後側において、前記一対の幅折り目と重ならない領域に配置されている、請求項１から請求項１１のいずれか１項に記載の吸収性物品の包装体。
【考案の詳細な説明】
【技術分野】
【０００１】
本考案は、生理用ナプキン等の吸収性物品を包装シートによって個別に包装した吸収性物品の包装体に関する。
【背景技術】
【０００２】
従来、吸収性物品としての生理用ナプキンを包装シートによって個別に包装した吸収性物品の包装体が知られている。特許文献１の吸収性物品の包装体は、吸収性物品と包装シートが重ねられた状態で、前後方向に沿う一対の前後折り目を基点に折り畳まれている。一対の前後折り目は、吸収性物品の幅方向の中心に対する両側において、吸収コアと重なる領域に設けられている。一対の前後折り目によって吸収コアに折り癖が形成される。使用時に脚によって挟まれ、幅方向の外側から内側に向かう力がかかると、折り癖を基点に変形し、前後折り目間の領域が肌面側に凸になるように変形し易い。よって、着用時に排泄口に対するフィット性を向上できる。
【先行技術文献】
【特許文献】
【０００３】
【特許文献１】特開２０１２−８１０６６号公報
【考案の概要】
【考案が解決しようとする課題】
【０００４】
しかし、上述の吸収性物品の包装体は、以下の問題があった。
吸収性物品の非肌面には、着用物品に吸収性物品を接合するための接合部が設けられている。吸収性物品を使用する前の状態では、包装シートは、吸収性物品の接合部に接合されている。そして、吸収性物品を使用する際には、使用者は、一対の前後折り目を基点に折り畳まれていない展開状態となるように吸収性物品及び包装シートを展開し、次いで吸収性物品を包装シートから引き剥がす。吸収性物品を包装シートから引き剥がす際に、吸収性物品が折れたりよれたりすると、吸収性物品の接合部同士が意図せずに接合したり、吸収性物品の接合部が意図しない箇所に接合したりして、着用物品に吸収性物品を接合できなかったり、よれた状態で吸収性物品が装着される等の装着時の不具合が発生するおそれがあった。
【０００５】
よって、前後方向に沿う一対の前後折り目を基点に折り畳まれた吸収性物品の包装体において、装着時の不具合を抑制しつつ、着用時のフィット性を向上できる吸収性物品の包装体が望まれる。
【課題を解決するための手段】
【０００６】
一態様に係る吸収性物品の包装体は、互いに直交する前後方向及び幅方向と、吸収コア及び前記吸収コアよりも肌面側に配置された肌面シートを有する吸収性物品と、前記吸収性物品を個別に包装する包装シートと、前記吸収性物品と前記包装シートが重ねられた状態で、前後方向に沿う一対の前後折り目を基点に、前記吸収性物品の肌面側同士が向き合うように折り畳まれる吸収性物品の包装体であって、前記吸収性物品は、前記吸収性物品の非肌面において着用物品に接合するための接合部と、前記吸収コアの折曲基点となる折曲基点部と、を有し、前記折曲基点部は、前記前後方向に延び、前記吸収性物品の前記幅方向の中心を挟んだ前記幅方向の両側にそれぞれ配置されており、前記一対の前後折り目は、前記一対の前後折り目を基点に折り畳まれていない展開状態において、前記吸収コアと重なり、かつ前記接合部と重ならない領域に配置されており、前記折曲基点部は、前記展開状態において、前記一対の前後折り目のうち少なくとも一方の前後折り目と重なる領域に配置されている。
【図面の簡単な説明】
【０００７】
【図１】図１は、展開状態の吸収性物品の包装体の肌面側から見た平面図である。
【図２】図２は、展開状態の吸収性物品の包装体の非肌面側から見た平面図である。
【図３】図３は、図１に示す吸収性物品の包装体の伸長状態におけるＡ−Ａ線に沿った断面図である。
【図４】図４は、吸収性物品のセンタシートの拡大斜視図である。
【図５】図５は、吸収性物品の包装体の折り畳み態様を説明するための図である。
【図６】図６は、図１に示す吸収性物品の包装体の展開状態におけるＡ−Ａ線に沿った断面図である。
【図７】図７は、図３に示す断面における吸収性物品を着用物品に装着した装着状態を示している。
【図８】図８は、変形例に係る吸収性物品の包装体の肌面側から見た平面図である。
【考案を実施するための形態】
【０００８】
＝＝＝実施形態の概要＝＝＝
本明細書及び添付図面の記載により、少なくとも以下の事項が明らかとなる。
一態様に係る吸収性物品の包装体は、互いに直交する前後方向及び幅方向と、吸収コア及び前記吸収コアよりも肌面側に配置された肌面シートを有する吸収性物品と、前記吸収性物品を個別に包装する包装シートと、前記吸収性物品と前記包装シートが重ねられた状態で、前後方向に沿う一対の前後折り目を基点に、前記吸収性物品の肌面側同士が向き合うように折り畳まれる吸収性物品の包装体であって、前記吸収性物品は、前記吸収性物品の非肌面において着用物品に接合するための接合部と、前記吸収コアの折曲基点となる折曲基点部と、を有し、前記折曲基点部は、前記前後方向に延び、前記吸収性物品の前記幅方向の中心を挟んだ前記幅方向の両側にそれぞれ配置されており、前記一対の前後折り目は、前記一対の前後折り目を基点に折り畳まれていない展開状態において、前記吸収コアと重なり、かつ前記接合部と重ならない領域に配置されており、前記折曲基点部は、前記展開状態において、前記一対の前後折り目のうち少なくとも一方の前後折り目と重なる領域に配置されている。
【０００９】
本態様によれば、一対の前後折り目及び折曲基点部によって吸収コアに折り癖が形成される。前後折り目よりも幅方向の外側の領域の吸収コアは、前後折り目に対して肌面側に立ち上がり易い。着用状態において、吸収性物品が幅方向の内側に向かう力を受けると、一対の前後折り目が幅方向の内側に移動し、一対の前後折り目の間の領域が肌面側に凸になるように変形し易い。よって、着用時に排泄口に対するフィット性を向上できる。また、一対の前後折り目は、接合部と重ならない領域に配置されている。吸収性物品の装着時等に接合部が意図せずにくっつくことを抑制し、装着時の不具合を抑制できる。
【００１０】
好ましい一態様によれば、前記折曲基点部は、前記展開状態において前記一対の前後折り目の両方と重なる領域に設けられてよい。
【００１１】
本態様によれば、両方の前後折り目による折り癖を安定して形成することができ、前後折り目間の領域の排泄口に対するフィット性を向上できる。加えて、折り癖が強くなることにより、包装体を折り畳んだ際の前後折り目がより安定し、包装体をコンパクトに折り畳みやすくなる。
【００１２】
好ましい一態様によれば、前記折曲基点部は、前記展開状態において前記包装体の厚さ方向の中心よりも肌面側に配置されてよい。
【００１３】
本態様によれば、折曲基点部が包装体の厚さ方向の中心よりも肌面側に配置されているため、折曲基点部及び前後折り目を基点として吸収性物品が肌面側に折り畳まれやすくなる。前後折り目による折り癖を安定して形成することができ、前後折り目間の領域の排泄口に対するフィット性を向上できる。
【００１４】
好ましい一態様によれば、前記接合部は、前記吸収コアと重なる領域に配置された本体接合部を有し、前記本体接合部は、前記一対の前後折り目間の領域のみに配置されてよい。
【００１５】
本態様によれば、一対の前後折り目間において本体接合部が配置された領域は、装着時に着用物品に追従して着用者側により引き上げられ易い。よって、吸収コアの排泄口に対するフィット性をより向上できる。一方、前後折り目よりも幅方向の外側の領域は、本体接合部が配置されてなく、着用物品に対して立ち上がりやすい。よって、吸収コアの外側部が着用者側に立ち上がりやすくなり、横漏れを抑制し易い。
【００１６】
好ましい一態様によれば、前記吸収性物品は、着用者の排泄口と対向する中央域、前記中央域よりも後側に位置する後側域、及び前記中央域よりも前側に位置する前側域を有し、前記折曲基点部は、少なくとも前記吸収コアが厚さ方向に圧縮されたコア圧搾部を有し、前記コア圧搾部は、少なくとも前記中央域に配置されてよい。
【００１７】
本態様によれば、着用時に幅方向の内側に向かう力がかかった際に、中央域においてコア圧搾部を基点に変形し易くなる。中央域において前後折り目よりも幅方向の内側の領域がより凸に変形し易く、前後折り目間の領域における排泄口に対するフィット性を向上できる。
【００１８】
好ましい一態様によれば、前記折曲基点部は、前記前後方向に沿い、かつ前記一対の前後折り目の両方と重なるように配置されてよい。
【００１９】
本態様によれば、折曲基点部及び一対の前後折り目が共に前後方向に沿っているため、展開状態から前後折り目を基点に折り畳む際に、折曲基点部が折り基点となりやすく、前後折り目を基点に折り畳み易くなる。また、折曲基点部及び一対の前後折り目による折り癖がより強く形成され易い。
【００２０】
好ましい一態様によれば、前記肌面シートは、前記前後方向に延びる凸部と、前記凸部よりも前記厚さ方向に凹み、かつ前記前後方向に延びる凹部と、を有し、前記折曲基点部は、前記凸部及び前記凹部の少なくとも一方からなるシート凹凸部を有してよい。
【００２１】
本態様によれば、シート凹凸部が前後方向に延びており、前後方向に延びる一対の前後折り目の折り癖を安定して形成することができる。一対の前後折り目よりも幅方向の両外側の領域における肌面側に立ち上がりを向上できるとともに、前後折り目間の領域の排泄口に対するフィット性を向上できる。加えて、包装体の折り畳み状態の前後折り目がより安定し、包装体をコンパクトに折り畳みやすくなる。
【００２２】
好ましい一態様によれば、前記吸収コアは、周囲よりも吸収材料の坪量が高い高坪量部を有しており、前記高坪量部は、前記一対の前後折り目よりも前記幅方向の内側のみに配置されており、前記高坪量部は、前記吸収コアにおける前記一対の前後折り目を基点に折り畳まれた部分と重ならない領域に配置されてよい。
【００２３】
本態様によれば、一対の前後折り目を基点に折り畳まれた状態において、前後折り目を基点に折り畳まれた吸収コアによって高坪量部が押し潰されることを抑制し、高坪量部の形状を維持でき、排泄口に対するフィット性及び体液の吸収性能を確保できる
【００２４】
好ましい一態様によれば、前記吸収性物品と前記包装シートは、前記前後方向に沿う一対の前後折り目を基点に折り畳まれるとともに、前記幅方向に沿う一対の幅折り目を基点に折り畳まれており、前記折曲基点部は、前記展開状態において、前記一対の幅折り目のうち少なくとも一方の折り目と重なる領域に配置されてよい。
【００２５】
本態様によれば、一対の幅折り目に折曲基点部が重なっていることにより、幅折り目を基点に変形させ易く、また幅折り目による折り癖が強く形成され易い。折り癖によって包装体をコンパクトに折り畳み易くなる。
【００２６】
好ましい一態様によれば、前記一対の前後折り目に挟まれた領域において非肌面側に凹むコア凹部を有し、前記接合部は、平面視にて前記コア凹部に重なる領域に配置されてよい。
【００２７】
一対の前後折り目よりも幅方向の外側の領域は、一対の前後折り目を基点によって折り畳まれた状態で、一対の前後折り目に挟まれた領域に重なる。一対の前後折り目に挟まれた領域にコア凹部が設けられているため、一対の前後折り目を基点によって折り畳まれた状態で、一対の前後折り目に挟まれた領域の厚みが厚くなりすぎることを抑制し、包装体をコンパクトに折り畳みやすくなる。また、接合部は、平面視にてコア凹部に重なる領域に配置されているため、コア凹部が配置された領域の剛性が低くなりすぎることを抑制し、着用時に排泄口に対するフィット性を維持できる。
【００２８】
好ましい一態様によれば、前記吸収性物品は、着用者の排泄口と対向する中央域、前記中央域よりも後側に位置する後側域、及び前記中央域よりも前側に位置する前側域を有し、前記折曲基点部は、少なくとも前記吸収コアが厚さ方向に圧縮されたコア圧搾部を有し、前記コア圧搾部は、前記中央域内において前記コア凹部を囲んで配置されてよい。
【００２９】
コア圧搾部は、中央域においてコア凹部を囲むように配置されているため、コア圧搾部によってコア凹部が配置された領域の剛性を高めることができる。よって、コア凹部が配置された領域の剛性が低くなりすぎることを抑制し、着用時に排泄口に対するフィット性を維持できる。
【００３０】
好ましい一態様によれば、前記吸収性物品と前記包装シートは、前記前後方向に沿う一対の前後折り目を基点に折り畳まれるとともに、前記幅方向に沿う一対の幅折り目を基点に折り畳まれており、前記吸収コアは、周囲よりも吸収材料の坪量が高い高坪量部を有し、前記高坪量部は、前記一対の幅折り目によって折り畳まれていない状態において、前記一対の幅折り目よりも後側において、前記一対の幅折り目と重ならない領域に配置されてよい。
【００３１】
高坪量部は、周囲よりも厚みが厚く、高坪量部と幅折り目が重なる形態にあっては、幅折り目を基点に折り畳む際に折り難いことがある。しかし、高坪量部が一対の幅折り目と重ならないため、幅折り目を基点にコンパクトに包装体を折り畳み易くなる。また、一対の幅折り目を基点に包装体を折り畳む際は、一般的に、一対の幅折り目によって挟まれた領域に対して、一対の幅折り目よりも後側の領域を折り返す。このとき、一対の幅折り目よりも後側の領域の剛性を高坪量部によって高めることができ、包装体を安定して折り畳むことができる。
【００３２】
＝＝＝本実施の形態に係る吸収性物品について＝＝＝
以下、図面を参照して、実施形態に係る吸収性物品について説明する。以下の実施形態では、吸収性物品の一例として使い捨ての生理用ナプキンについて説明する。なお、変形例において、吸収性物品は、失禁パッド、おりものシートであってもよい。また、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３３】
（１）吸収性物品の全体概略構成
図１は、一実施形態における吸収性物品の展開状態の平面図である。図２は、図１に示すＡ−Ａ線に沿った吸収性物品の断面図である。図３は、吸収性物品の包装体の折り畳み態様を説明するための図である。図４は、センタシートの拡大斜視図である。吸収性物品の包装体１００は、互いに直交する前後方向Ｌと幅方向Ｗを有し、かつ着用者の肌面側Ｔ１から非肌面側Ｔ２へ延びる厚さ方向Ｔを有する。肌面側Ｔ１は、使用時に、着用者の肌に面する側に相当する。非肌面側Ｔ２は、使用時に、肌面側Ｔ１とは反対側、すなわち着用者の肌とは反対に向けられる側に相当する。
【００３４】
吸収性物品の包装体１００は、吸収性物品１と、包装シート７０と、を有する。吸収性物品の包装体１００は、吸収性物品１及び包装シート７０が共に折り畳まれることによって、吸収性物品１が包装シート７０によって個別に包装されていてよい。吸収性物品の包装体１００の折り畳み態様については、後述にて詳細に説明する。
【００３５】
吸収性物品１は、中央域Ｓ２、前側域Ｓ１及び後側域Ｓ３を有する。中央域Ｓ２は、着用者の排泄口、例えば膣口に対向する領域である。吸収性物品１が着用物品に装着されたときに、中央域Ｓ２は着用物品の股下部に配置され、着用者の両足の間に配置される領域である。前側域Ｓ１は、中央域Ｓ２よりも前側に位置する。前側域Ｓ１の前端縁は、吸収性物品１の前端縁を規定する。後側域Ｓ３は、中央域Ｓ２よりも後方に位置する。後側域Ｓ３の後端縁は、吸収性物品１の後端縁を規定する。
【００３６】
中央域Ｓ２には、後述するウイング３が設けられてよい。ウイング３の前端縁は、ウイング３の付け根によって規定されており、幅方向Ｗの内側に窪んだ２つの部分のうち、前側に位置する部分に相当する。ウイング３の前端縁は、中央域Ｓ２と前側域Ｓ１との境界を規定してもよい。ウイング３の後端縁は、ウイング３の付け根によって規定されており、幅方向Ｗの内側に窪んだ２つの部分のうち、後側に位置する部分に相当する。ウイング３の後端縁は、中央域Ｓ２と後側域Ｓ３との間に位置してよい。また、ウイングの内側縁は、ウイングの付け根であり、ウイング３の前端縁とウイング３の後端縁を繋ぐ仮想線となる。また、中央域Ｓ２は、ウイングを有しない吸収性物品にあっては、吸収コア３０を前後方向Ｌに三等分した真ん中の領域であってもよいし、高坪量部３３を有する吸収性物品にあっては、中央域Ｓ２は、高坪量部３３を有する領域であってもよい。
【００３７】
なお、本考案における外側部とは、幅方向Ｗにおける外側縁を含む幅方向Ｗに一定の範囲を占める部分であり、外側縁とは、幅方向Ｗにおける外側縁である。本考案における内側部とは、幅方向Ｗにおける内縁を含む幅方向Ｗに一定の範囲を占める部分であり、内側縁とは、幅方向Ｗにおける内縁である。また、本考案における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでいる。
【００３８】
吸収性物品１は、肌面シート１０、非肌面シート２０及び吸収コア３０を有する。肌面シート１０は、吸収コア３０よりも肌面側Ｔ１に設けられる。非肌面シート２０は、吸収コア３０よりも非肌面側Ｔ２に設けられる。吸収コア３０は、肌面シート１０と非肌面シート２０との間に設けられる。
【００３９】
肌面シート１０は、吸収コア３０よりも肌面側Ｔ１に配置されるシートである。肌面シート１０は、体液等の液体を透過する液透過性のシートであり、不織布、織布、有孔プラスチックシート、メッシュシート等、液体を透過する構造を有する任意のシート状の材料から構成される。また、肌面シート１０は、吸収コア３０の幅方向Ｗの中央を覆うセンタシート１１と、センタシート１１の外側部を覆い、かつセンタシート１１から幅方向Ｗの外側に延びるサイドシート１２と、吸によって構成されよい。肌面シート１０は、センタシート１１と吸収コア３０との間に配置されたセカンドシートを有してよい。センタシート１１は、少なくとも吸収コア３０の幅方向Ｗの中央を覆い、サイドシート１２は、幅方向Ｗにおけるセンタシート１１の外側部を覆い、センタシート１１よりも幅方向Ｗの外側へ延びてよい。サイドシート１２は、防漏性の観点から疎水性のシートを用いてもよい。
【００４０】
図４に示すように、肌面シート１０のうち、少なくともセンタシート１１は、前後方向に延びる凸部１５１と、凸部１５１よりも厚さ方向Ｔに凹み、かつ前後方向に延びる凹部１５２と、を有してよい。凸部１５１及び凹部１５２は、本考案のシート凹凸部１５を構成する。凸部１５１及び凹部１５２は、幅方向Ｗにおいて交互に配置されてよい。凸部１５１及び凹部１５２は、センタシート１１の前後方向Ｌの全域、すなわち、吸収性物品１の前後方向Ｌの全域に設けられていてよい。
【００４１】
シート凹凸部１５は、肌面シート１０を構成するシートに形成された凸部及び凹部の少なくとも一方によって構成されている。凸部１５１と凹部１５２は、シートを構成する繊維の坪量が異なっていてもよいし、繊維の坪量が同じであって密度が異なっていてもよい。例えば、シート凹凸部１５の凹部１５２は、周囲よりも繊維の坪量が低い低坪量部、周囲よりも厚さ方向に圧搾されたシート圧搾部、及びシートに貫通した穴からなる肌面開口部の少なくともいずれかによって構成されてよい。また、シート凹凸部１５は、センタシート１１に設けられていてもよいし、サイドシート１２に設けられていてもよいし、セカンドシート（図示せず）に設けられていてもよい。本実施の形態のシート凹凸部１５は、サイドシート１２に形成されたシート圧搾部１６、センタシート１１に形成された凸部１５１及び凹部１５２に形成されてよい。シート凹凸部１５は、後述する折曲基点部８０を構成する。
【００４２】
肌面シート１０には、少なくとも肌面シートを圧縮したシート圧搾部１６が設けられてよい。シート圧搾部１６は、センタシート１１に設けられていてもよいし、サイドシート１２に設けられていてもよいし、セカンドシート（図示せず）に設けられていてもよい。シート圧搾部１６は、点状であってもよいし、図柄及び絵柄等のデザインを示す柄であってもよい。本実施の形態のシート圧搾部１６は、サイドシート１２に形成されており、点状、星柄、ハート柄、花柄、及び文字の集合体である。集合体からなるシート圧搾部１６は、前後方向Ｌに並んでいる。シート圧搾部１６は、後述する折曲基点部８０を構成する。
【００４３】
非肌面シート２０は、吸収コア３０よりも肌面側Ｔ１に配置されるシートである。非肌面シート２０は、液不透過性のシートである。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００４４】
吸収性物品１の前端部及び吸収性物品１の後端部のうち少なくとも一方には、肌面シート１０と非肌面シート２０とを接合した端縁接合部２５が設けられてよい。端縁接合部２５は、肌面シート１０と非肌面シート２０が当接した領域、すなわち、吸収コア３０が配置されていない領域に設けられてよい。端縁接合部２５におけるシート同士の接合手段は、特に限定されず、熱溶着、超音波溶着、接着剤等による接合を例示できる。端縁接合部２５の幅方向Ｗの長さは、吸収コア３０の幅方向Ｗの長さよりも長くてよい。
【００４５】
吸収コア３０は、少なくとも中央域Ｓ２及び後側域Ｓ３に配置される。また、吸収コア３０は、前側域Ｓ１にも配置されてよい。吸収コア３０は、液体を吸収する吸収材料が積層されており、コアラップ３２によって覆われてよい。吸収コア３０を構成する吸収材料は、例えば、親水性繊維、パルプ及び高吸水性高分子（ＳＡＰ）から形成できる。吸収コア３０は、粉砕パルプが積層されることによって構成されていてもよいし、エアレイドパルプ層によって構成されていてもよい。また、エアレイドパルプ層は、複数積層されていてもよい。コアラップ３２は、例えば不織布やティッシュから構成することができる。コアラップ３２は、吸収コア３０よりも肌面側Ｔ１と吸収コア３０よりも非肌面側Ｔ２にそれぞれ配置されてよい。コアラップ３２を有する形態にあっては、肌面シート１０は、コアラップ３２及び吸収コア３０よりも肌面側に位置するシートであり、非肌面シート２０は、コアラップ３２及び吸収コア３０よりも非肌面側に位置するシートである。変形例として、吸収コア３０は、コアラップを有していなくてもよい。この場合、吸収コア３０は、肌面シート１０と非肌面シート２０とによって覆われていればよい。
【００４６】
吸収コア３０は、少なくとも吸収コア３０が厚さ方向に圧縮されたコア圧搾部３５を有してよい。コア圧搾部３５は、吸収コア３０のみを圧縮されていてもよいし、吸収コア３０及びコアラップ３２を圧縮されていてもよいし、吸収コア３０、コアラップ３２及び肌面シート１０を圧縮されていてもよい。コア圧搾部３５は、前側域Ｓ１、中央域Ｓ２及び後側域Ｓ３に跨がって配置されてよい。コア圧搾部３５は、点状であり、複数並んで配置されている。コア圧搾部３５は、後述する折曲基点部８０を構成する。図１において、中央域Ｓ２において前後折り目ＦＬに重なる領域に配置された中央コア圧搾部３５２と、後側域Ｓ３において前後折り目ＦＬに重なる領域に配置された後コア圧搾部３５３と、を示す。中央コア圧搾部３５２及び後コア圧搾部３５３は、前後折り目を安定して形成することに寄与するように構成されている。当該前後折り目の安定性等については、後述にて詳細に説明する。
【００４７】
前述したように、吸収性物品１は、ウイング３を有する。ウイング３は、中央域Ｓ２における吸収コア３０の外側縁よりも幅方向Ｗの外側に延出している。ウイング３は、肌面シート１０と非肌面シート２０との積層によって構成されてよい。ウイング３は、非肌面シート２０側に折り返し可能に構成されている。ウイング３は、使用時に着用物品としての下着のクロッチ部の非肌面側に折り返される。
【００４８】
吸収性物品は、ヒップフラップを有してよい。ヒップフラップ４は、ウイング３と同様に、中央域Ｓ２における吸収コア３０の外側縁よりも幅方向Ｗの外側に延出し、肌面シート１０と非肌面シート２０との積層によって構成されてよい。ヒップフラップ４は、ウイング３よりも後側に位置し、後側域Ｓ３に設けられてよい。ヒップフラップ４は、使用時に折り返されず、下着と着用者の臀部との間に配置される。ヒップフラップには、吸収材料が設けられてなくてもよいし、吸収材料が設けられてもよい。
【００４９】
図２に示すように、吸収性物品１は、下着等の着用物品に吸収性物品１を接合するため接合部６０を有する。接合部６０は、粘着剤が設けられた部分であってよい。吸収コア３０と重なる領域に配置された本体接合部６１と、ウイング３に配置されたウイング接合部６３と、ヒップフラップ４に配置されたフラップ接合部６４と、を有してよい。本体接合部６１は、前後方向Ｌに延び、かつ幅方向Ｗに間隔を空けて配置されている。本体接合部６１は、吸収性物品の幅方向Ｗの中心である物品幅中心線１ＷＣに配置されてなく、物品幅中心線１ＷＣの幅方向Ｗの両側にそれぞれ複数列ずつ配置されている。具体的には、本体接合部６１は、物品幅中心線１ＷＣの幅方向Ｗの両側にそれぞれ２列ずつ配置されている。ここで、物品幅中心線１ＷＣは、吸収性物品の幅方向Ｗの中心を通り、かつ前後方向Ｌに延びるラインである。これらの接合部６０は、非肌面シート２０の非肌面側に設けられている。接合部６０は、使用前の状態において、被覆シートによって覆われてもよいし、包装シート７０によって覆われていてもよい。被覆シートは、使用前に接合部の粘着剤の劣化を防止し、吸収性物品の使用時に着用者によって取り外される。
【００５０】
吸収性物品１は、吸収コア３０の折曲基点となる折曲基点部８０を有する。折曲基点部８０は、少なくとも吸収コア３０が厚さ方向Ｔに折り曲げられる基点になればよく、吸収性物品１の厚さ方向Ｔの全体が厚さ方向Ｔに折り曲げられる基点になってもよい。折曲基点部８０は、吸収コア３０に形成されていてもよいし、吸収コア３０以外の部材（肌面シート等）に形成されていてもよい。折曲基点部８０は、剛性差、厚み差、吸収コアの坪量差等によって変形の基点となるものであればよい。折曲基点部８０は、少なくとも吸収コア３０を厚さ方向Ｔに圧縮したコア圧搾部３５と、吸収コア３０を構成する吸収材料の坪量が周囲と異なる目付変化部と、吸収コア３０を構成する吸収材料の厚さが周囲と異なる厚さ変化部と、シート圧搾部１６と、シート凹凸部１５のうち少なくともいずれか、又はこれらの組み合わせによって構成できる。
【００５１】
本実施の形態の折曲基点部８０は、コア圧搾部３５と、シート凹凸部１５、シート圧搾部１６と、を少なくとも有する。吸収コア３０と肌面シート１０が共に圧縮された形態にあっては、当該圧縮された部分は、コア圧搾部３５を構成するとともに、シート圧搾部１６を構成してよい。コア圧搾部３５は、吸収コア３０のみが圧縮された部分であってもよい。シート圧搾部１６は、サイドシート１２のみが圧縮されていてもよいし、センタシート１１及びサイドシート１２が圧縮されていてもよい。
【００５２】
折曲基点部８０は、前後方向Ｌに延びてよい。折曲基点部８０は、前後方向Ｌに平行であってもよいし、前後方向Ｌに対して４５度以内の角度で傾斜していてもよい。折曲基点部８０は、直線状であってもよいし、曲線状であってもよい。折曲基点部８０は、線状であってもよいし、複数の点等の集合体であってもよい。折曲基点部８０は、物品幅中心線１ＷＣを挟んだ幅方向Ｗの両側にそれぞれ配置されてよい。折曲基点部８０は、物品幅中心線１ＷＣに対して幅方向Ｗに離間しており、物品幅中心線１ＷＣを挟んで一対で配置されてよい。一対の折曲基点部８０は、物品幅中心線１ＷＣに対して線対称であってもよいし、非対称であってもよい。
【００５３】
（２）吸収性物品の包装体１００の折り畳み態様
次いで、図５に基づいて、吸収性物品の包装体１００の折り畳み態様について説明する。吸収性物品の包装体１００は、使用前の状態において複数の折り目を介して折り畳まれている。吸収性物品の包装体１００は、吸収性物品１と包装シート７０が重ねられた状態で、前後方向Ｌに沿う一対の前後折り目ＦＬを基点に、吸収性物品１の肌面側同士が向き合うように折り畳まれる。一対の前後折り目ＦＬは、第１前後折り目ＦＬ１及び第２前後折り目ＦＬ２を有する。第１前後折り目ＦＬ１と第２前後折り目ＦＬ２は、幅方向Ｗに離間している。
【００５４】
図１及び図２は、吸収性物品の包装体１００が展開した展開状態における伸長状態の包装体を示している。展開状態は、吸収性物品１及び包装シート７０が重ねられ、かつ全ての折り目（本実施の形態では、一対の前後折り目ＦＬ、及び一対の幅折り目ＦＷ、前後折り目ＦＬのみを有する形態では、前後折り目）を基点に折り畳まれていない状態である。展開状態は、折り畳まれた吸収性物品の包装体１００を展開した状態又は吸収性物品の包装体１００が折り畳まれる前の状態である。また、伸長状態は、弾性部材等による皺が形成されない状態まで伸ばした状態である。図１、図２、及び図３は、展開状態かつ伸長状態の包装体を示している。図６は、展開状態かつ非伸長状態の包装体を示している。図６に示す状態では、包装体は、前後折り目ＦＬの折り癖によって変形している。
【００５５】
展開状態において、吸収性物品１の非肌面シート２０と包装シート７０の内面７０Ｘが対向している。吸収性物品１及び包装シート７０は、重ねられた状態で共に折り畳まれる。具体的には、吸収性物品１及び包装シート７０が重ねられ、かつ第１前後折り目ＦＬ１及び第２前後折り目ＦＬ２を基点に折り畳まれていない展開状態において、吸収性物品１の一方の外側縁と包装シート７０の一方の外側縁が、第１前後折り目ＦＬ１を基点に折り畳まれる。第１前後折り目ＦＬ１は、前後方向Ｌに沿っており、吸収性物品の肌面側Ｔ１同士が向き合うように折り畳むための前後折り目である。図５（ａ）は、第１前後折り目ＦＬ１を基点に折り畳まれた第１折り状態を示している。
【００５６】
吸収性物品１及び包装シート７０は、第１折り状態において、吸収性物品１の他方の外側縁と包装シート７０の他方の外側縁が、第２前後折り目ＦＬ２を基点に折り畳まれる。第２前後折り目ＦＬ２は、前後方向Ｌに沿っており、吸収性物品の肌面側Ｔ１同士が向き合うように折り畳むための前後折り目である。図５（ｂ）は、第２前後折り目ＦＬ２を基点に折り畳まれた第２折り状態を示している。第２折り状態で、吸収性物品１は、包装シート７０によって包まれており、包装シート７０内に内包されている。
【００５７】
吸収性物品１及び包装シート７０は、第２折り状態において、一対の幅折り目ＦＷを基点に折り畳まれてよい。一対の幅折り目ＦＷは、第１幅折り目ＦＷ１及び第２幅折り目ＦＷ２を有する。第１幅折り目ＦＷ１と第２幅折り目ＦＷ２は、前後方向Ｌに離間している。第１幅折り目ＦＷ１及び第２幅折り目ＦＷ２は、幅方向Ｗに沿って延びている。図５（ｃ）は、第１幅折り目ＦＷ１及び第２幅折り目ＦＷ２を基点に折り畳まれた幅折り状態である。このように折り畳まれることにより、吸収性物品１は、幅方向Ｗの長さ及び前後方向Ｌの長さが短くなり、小型化される。第１幅折り目ＦＷ１及び第２幅折り目ＦＷ２によって折り畳まれた状態で、包装シート７０の前端縁は、係合テープ７５によって包装シート７０の外面７０Ｙに接合されている。これにより、包装シート７０によって吸収性物品１を個別に包装した個包装状態を維持し、コンパクトな携帯性を実現できる。なお、変形例において、吸収性物品の包装体１００は、第１幅折り目ＦＷ１及び第２幅折り目ＦＷ２を基点に折り畳まれていなくてもよい。
【００５８】
（３）吸収性物品の包装体の使用態様について
本実施の形態に係る吸収性物品の包装体１００は、装着時の不具合を抑制しつつ、着用時のフィット性を向上できるように構成されている。加えて、本実施の形態に係る吸収性物品の包装体１００は、上述の折り畳み時において折り畳み易く、かつ前後折り目ＦＬを安定して形成し易く構成されている。次いで、吸収性物品の包装体の使用態様、すなわち、装着態様及び着用態様について説明する。
【００５９】
吸収性物品の包装体１００は、使用前に折り畳まれている。使用者が装着時及び着用時に包装体１００を展開すると、吸収性物品１には、第１前後折り目ＦＬ１及び第２前後折り目ＦＬ２による折り癖が形成されている。図６は、図３に示す断面における展開状態を示している。図７は、図３に示す断面における吸収性物品１を着用物品Ｓに装着した着用状態を示している。なお、図６及び図７に示す展開状態は、第１前後折り目ＦＬ１及び第２前後折り目ＦＬ２を基点に一旦折り畳まれた包装体を展開し、第１前後折り目ＦＬ１及び第２前後折り目ＦＬ２を基点に折り畳まれていない状態である。展開状態では、第１前後折り目ＦＬ１よりも幅方向Ｗの外側の領域は、折り癖によって第１前後折り目ＦＬ１よりも肌面側Ｔ１に立ち上がり易く、第２前後折り目ＦＬ２よりも幅方向Ｗの外側の領域は、折り癖によって第２前後折り目ＦＬ２よりも肌面側Ｔ１に立ち上がっている。
【００６０】
展開状態において、第１前後折り目ＦＬ１及び第２前後折り目ＦＬ２は、吸収コア３０と重なる領域に設けられている。よって、吸収性物品１の吸収コア３０には、第１前後折り目ＦＬ１及び第２前後折り目ＦＬ２による折り癖が形成されている。なお、第１前後折り目ＦＬ１の少なくとも一部及び第２前後折り目ＦＬ２の少なくとも一部が、吸収コア３０と重なる領域に設けられていてよい。
【００６１】
また、折曲基点部８０は、第１前後折り目ＦＬ１及び第２前後折り目ＦＬ２のうちの少なくとも一方と重なる領域に配置されている。折曲基点部８０の少なくとも一部が、第１前後折り目ＦＬ１及び第２前後折り目ＦＬ２と重なる領域に設けられていてよい。折曲基点部８０の存在によって、展開状態の吸収コア３０の折り癖は、より強く形成される。図６に示すように、吸収コア３０の外側部は、第１前後折り目ＦＬ１及び第２前後折り目ＦＬ２を基点として立ち上がり易い。よって、第１前後折り目ＦＬ１よりも幅方向Ｗの外側の領域及び第２前後折り目ＦＬ２よりも幅方向Ｗの外側の領域は、折り癖によって肌面側に立ち上がっている。排泄口の側方を覆うように吸収コア３０が配置され、横漏れを抑制できる。
【００６２】
図７に示す着用状態において、吸収性物品１は、脚などによって挟まれ、幅方向Ｗの外側から内側に向かう力を受けやすい。図７（ａ）は、幅方向Ｗの外側から内側に向かう力を受ける前の状態であり、図７（ｂ）は、幅方向Ｗの外側から内側に向かう力を受けた後の状態である。吸収性物品１が幅方向Ｗの内側に向かう力を受けると、第１前後折り目ＦＬ１及び第２前後折り目ＦＬ２が幅方向Ｗの内側に移動し、一対の前後折り目ＦＬ間の領域が肌面側に凸になるように変形し易い。よって、着用時に排泄口に対する吸収コア３０のフィット性を向上できる。
【００６３】
また、第１前後折り目ＦＬ１及び第２前後折り目ＦＬ２は、展開状態において、接合部６０と重ならない領域に配置されている。展開状態において、本体接合部６１は、第１前後折り目ＦＬ１及び第２前後折り目ＦＬ２の間の領域に配置され、ウイング接合部６３及びフラップ接合部６４は、第１前後折り目ＦＬ１よりも幅方向Ｗの外側の領域、及び第２前後折り目ＦＬ２よりも幅方向Ｗの外側の領域に配置されている。例えば、接合部が前後折り目ＦＬを跨がっている形態にあっては、前後折り目ＦＬを跨がった接合部同士が折り癖によってくっつく不具合が発生するおそれがある。また、前後折り目ＦＬの周囲は、折り癖によってよれやすく、前後折り目ＦＬと接合部が重なる形態にあっては、折り癖のよれによって前後折り目ＦＬと重なる接合部が意図しない箇所にくっつく不具合が発生するおそれがある。しかし、一対の前後折り目ＦＬは、接合部６０と重ならない領域に配置されていることにより、接合部６０が意図せずにくっつくことを抑制し、装着時の不具合を抑制できる。
【００６４】
一対の前後折り目ＦＬ及び折曲基点部８０が設けられていることにより、前後折り目ＦＬを基点に変形させ易く、また前後折り目ＦＬによる折り癖が強く形成され易い。そのため、包装時に包装体を折り畳む際や廃棄時に包装体を折り畳む際に、当該折り癖によって包装体をコンパクトに折り畳み易くなる。
【００６５】
本体接合部６１は、一対の前後折り目ＦＬ間の領域のみに配置されてよい。すなわち、本体接合部６１は、第１前後折り目ＦＬ１よりも幅方向Ｗの領域に設けられてなく、第２前後折り目ＦＬ２よりも幅方向Ｗの外側の領域に設けられていなくてよい。一対の前後折り目ＦＬ間において本体接合部６１が配置された領域は、装着時に着用物品に追従して着用者側により引き上げられ易い。よって、吸収コア３０の排泄口に対するフィット性をより向上できる。一方、第１前後折り目ＦＬ１よりも幅方向Ｗの外側の領域及び第２前後折り目ＦＬ２よりも幅方向Ｗの外側の領域は、本体接合部６１が配置されてなく、着用物品に対して立ち上がりやすい。よって、吸収コア３０の外側部が着用者側に立ち上がりやすくなり、横漏れを抑制し易い。加えて、本体接合部６１の有無によって、一対の前後折り目ＦＬ間の領域と、一対の前後折り目ＦＬよりも幅方向Ｗの外側の領域と、の剛性差が生じる。折り畳みの安定性及び横漏れの防止効果をより発揮できる。
【００６６】
また、本体接合部６１を覆う本体剥離シート（図示せず）を有する形態にあっては、本体剥離シートの外側縁は、第１前後折り目ＦＬ１と第２前後折り目ＦＬ２よりも幅方向Ｗの内側に配置されてよい。本体剥離シートの有無によって、一対の前後折り目ＦＬ間の領域と、一対の前後折り目ＦＬよりも幅方向Ｗの外側の領域と、の剛性差が生じる。折り畳みの安定性及び横漏れの防止効果をより発揮できる。
【００６７】
折曲基点部８０は、展開状態において一対の前後折り目ＦＬを構成する両方の前後折り目ＦＬと重なる領域に設けられてよい。両方の前後折り目ＦＬによる折り癖を安定して形成することができる。前後折り目ＦＬよりも幅方向Ｗの両外側における肌面側Ｔ１に立ち上がりを向上できるとともに、前後折り目ＦＬ間の領域の排泄口に対するフィット性を向上できる。加えて、包装体を折り畳んだ際の前後折り目ＦＬがより安定し、包装体をコンパクトに折り畳みやすくなる。
【００６８】
折曲基点部８０は、展開状態において包装体の厚さ方向Ｔの中心よりも肌面側Ｔ１に配置されてよい。より好適には、折曲基点部８０は、展開状態において吸収性物品１の厚さ方向の中心よりも肌面側Ｔ１に配置されてよい。なお、折曲基点部が厚さ方向の中心よりも肌面側に配置されている状態は、展開状態、かつ図１に示す伸長状態において、折曲基点部８０の少なくとも一部が、厚さ方向Ｔの中心よりも肌面側に位置していればよい。一対の前後折り目ＦＬは、吸収性物品１を肌面側に折り畳む折り目である。当該構成によれば、折曲基点部及び前後折り目ＦＬを基点として包装体がより肌面側に折り畳まれやすくなる。
【００６９】
折曲基点部８０は、中央域Ｓ２に設けられてよい。好適には、コア圧搾部３５は、少なくとも中央域Ｓ２に配置されてよく、更に好適には、中央コア圧搾部３５２が設けられてよい。中央域Ｓ２は、着用時に脚によって挟まれ易く、幅方向Ｗの内側に向かう力を受けやすい。着用時に幅方向Ｗの内側に向かう力がかかった際に、中央コア圧搾部３５２を基点に変形し易くなる。中央コア圧搾部３５２よりも幅方向Ｗの内側の領域がより凸状に変形し易く、排泄口に対する吸収コア３０のフィット性を向上できる。
【００７０】
折曲基点部８０は、後側域Ｓ３に設けられてよい。後側域における吸収コアの外側部を肌面側に立ち上げることができ、臀部の膨らみのサイドを覆い、横漏れを抑制できる。好適には、折曲基点部８０は、中央域Ｓ２、前側域Ｓ１及び後側域Ｓ３のそれぞれに設けられてよい。中央域Ｓ２、前側域Ｓ１及び後側域Ｓ３の全体に亘って、排泄口の側方を覆うように吸収コアを配置でき、横漏れを抑制できる。
【００７１】
折曲基点部８０は、前後方向Ｌに沿い、かつ一対の前後折り目ＦＬの両方と重なるように配置されてよい。折曲基点部８０及び一対の前後折り目ＦＬが共に前後方向に沿っているため、展開状態から前後折り目ＦＬを基点に折り畳む際に、折曲基点部８０が折り基点となりやすく、前後折り目ＦＬを基点に折り畳み易くなる。また、折曲基点部８０及び一対の前後折り目ＦＬによる折り癖がより強く形成され易い。本実施の形態では、後コア圧搾部３５３は、前後方向Ｌに沿い、かつ第１前後折り目ＦＬ１及び第２前後折り目ＦＬ２に重なっている。後コア圧搾部３５３は、幅方向Ｗに間隔をあけて配置されている。当該構成によれば、後側域Ｓ３において後コア圧搾部３５３によって挟まれた領域が肌面側Ｔ１に隆起し易い。臀部間の隙間に隆起した領域がフィットし、漏れを抑制できる。なお、一対の前後折り目ＦＬに重なる折曲基点部８０の長さは、特に限定されないが、好適には、１０ｍｍ以上であってよく、より好適には、吸収性物品の後側域の前後方向の長さの５０％以上であってよい。
【００７２】
折曲基点部８０は、シート凹凸部１５を有してよい。シート凹凸部１５は、前後方向にＬ延びており、前後方向に延びる一対の前後折り目ＦＬの折り癖を安定して形成することができる。一対の前後折り目ＦＬよりも幅方向Ｗの両外側における肌面側に立ち上がりを向上できるとともに、前後折り目ＦＬ間の領域の排泄口に対するフィット性を向上できる。加えて、包装体の折り畳み状態の前後折り目ＦＬがより安定し、包装体をコンパクトに折り畳みやすくなる。
【００７３】
折曲基点部８０は、少なくとも肌面シート１０が厚さ方向Ｔに圧縮されたシート圧搾部１６を有してよい。シート圧搾部１６によっても、前後折り目ＦＬの折り癖を安定して形成することができる。前後折り目ＦＬよりも幅方向Ｗの両外側における肌面側に立ち上がりを向上できるとともに、前後折り目ＦＬ間の領域の排泄口に対するフィット性を向上できる。加えて、個包装時の前後折り目ＦＬがより安定し、包装体をコンパクトに折り畳みやすくなる。
【００７４】
シート圧搾部１６は、一対の前後折り目ＦＬよりも幅方向Ｗの外側に配置されてよい。より好適には、シート圧搾部１６は、一対の前後折り目ＦＬよりも幅方向Ｗの外側において前後方向Ｌに延びていてよい。シート圧搾部１６の有無によって、一対の前後折り目ＦＬ間の領域と、一対の前後折り目ＦＬよりも幅方向Ｗの外側の領域と、の剛性差が生じ、包装体を一対の前後折り目ＦＬを基点としてより折り畳み易くなる。また、一対の前後折り目ＦＬよりも幅方向Ｗの外側の領域が、シート圧搾部１６の剛性によって立ち上がり易くなり、排泄口の側方を覆うように吸収性物品の外側部が配置され、排泄口に対するフィット性を向上させ、かつ横漏れを抑制できる。
【００７５】
シート圧搾部１６は、中央域Ｓ２の前後方向Ｌの中心に配置されず、中央域Ｓ２の前後方向Ｌの中心よりも前後方向Ｌの外側に配置されてよい。より具体的には、中央域Ｓ２を前後方向に三等分した領域のうち中央の領域に配置されていなくてよい。中央の領域は、着用時に脚に当たり易く、一対の前後折り目ＦＬよりも幅方向Ｗの外側に位置するシート圧搾部が脚に当たることによって装着感が悪化するおそれがある。しかし、シート圧搾部１６は、中央域の前後方向の中心に配置されないことにより、装着感の悪化を抑制しつつ、排泄口に対するフィット性、折り畳みの安定性及び横漏れの防止効果を発揮できる。また、シート圧搾部１６の深さは、コア圧搾部３５よりも浅くてよい。当該構成によれば、シート圧搾部１６の剛性がコア圧搾部３５の剛性よりも低くなり易く、シート圧搾部が脚に当たった際の装着感の悪化を抑制できる。
【００７６】
一対の前後折り目ＦＬに重なるコア圧搾部３５の前後方向Ｌの長さは、前後方向Ｌに延びるシート圧搾部１６の前後方向の長さよりも長いことが好ましい。前後折り目ＦＬに重なるコア圧搾部３５の前後方向の長さが長いことにより、排泄口に対するフィット性、折り畳みの安定性及び横漏れの防止効果をより発揮できる。
【００７７】
一対の前後折り目ＦＬは、端縁接合部２５と重なる領域に設けられてよい。端縁接合部２５は、肌面シート１０と非肌面シート２０が接合されていない部分と比較して、その剛性が高い。よって、一対の前後折り目ＦＬによる折り癖が形成され易い。排泄口に対するフィット性、折り畳みの安定性及び横漏れの防止効果をより発揮できる。
【００７８】
吸収コア３０の高坪量部３３は、一対の前後折り目ＦＬの間のみに配置されてよい。一対の前後折り目ＦＬによる折り癖が高坪量部３３に影響し難く、高坪量部３３の形状を維持でき、排泄口に対するフィット性及び体液の吸収性能を確保できる。また、高坪量部３３の有無によって、一対の前後折り目ＦＬ間の領域と、一対の前後折り目ＦＬよりも幅方向Ｗの外側の領域と、の剛性差が生じる。折り畳みの安定性及び横漏れの防止効果をより発揮できる。
【００７９】
吸収コア３０の高坪量部３３は、一対の幅折り目ＦＷの間のみに配置されてよい。一対の幅折り目ＦＷによる折り癖が高坪量部３３に影響し難く、高坪量部３３の形状を維持でき、排泄口に対するフィット性及び体液の吸収性能を確保できる。高坪量部３３の有無によって、一対の幅折り目ＦＷ間の領域と、一対の幅折り目ＦＷよりも前後方向Ｌの外側の領域と、の剛性差が生じる。よって、折り畳みの安定性をより発揮できる。
【００８０】
吸収コア３０の高坪量部３３は、吸収コア３０において一対の前後折り目ＦＬを基点に折り畳まれた部分と重ならない領域に配置されてよい。すなわち、図５（ａ）に示す第１折り状態において、吸収コア３０の折り畳み前の外側縁と、高坪量部３３の外側縁と、は、幅方向Ｗに離間しており、厚さ方向Ｔに重なっていない。この構成によれば、第１折り状態において、前後折り目ＦＬを基点に折り畳まれた吸収コア３０によって高坪量部３３が押し潰されることを抑制し、高坪量部３３の形状を維持でき、排泄口に対するフィット性及び体液の吸収性能を確保できる。
【００８１】
シート圧搾部１６は、一対の幅折り目ＦＷのうち少なくとも一方と重なる領域に設けられてよい。本実施の形態では、シート圧搾部１６の一部が、第２幅折り目ＦＷ２に重なっている。一対の幅折り目ＦＷに折曲基点部８０が重なっていることにより、幅折り目ＦＷを基点に変形させ易く、また幅折り目による折り癖が強く形成され易い。そのため、包装時に包装体を折り畳む際や廃棄時に包装体を折り畳む際に、当該折り癖によって包装体をコンパクトに折り畳み易くなる。
【００８２】
変形例において、シート圧搾部１６のうち一対の幅折り目に重なるシート圧搾部１６は、吸収コア３０の外側縁３０Ｅよりも幅方向Ｗの内側のみに配置され、吸収コア３０の外側縁３０Ｅよりも幅方向Ｗの外側に配置されていなくてよい。シート圧搾部１６による折り基点の安定性を高めつつ、シート圧搾部１６に起因する幅方向Ｗ外側への体液の拡散を抑制し、横漏れを抑制できる。
【００８３】
本実施の形態の包装体は、個包装状態において、係合テープ７５が止着されている。係合テープ７５の接合強度は、幅折り状態における包装体の反発力よりも高く構成されてよい。幅折り状態における包装体の反発力は、幅折り状態から第２折り状態に包装体が戻ろうとする力である。本実施の形態の包装体１００は、前後折り目ＦＬ及び幅折り目ＦＷを基点に吸収コア３０が折り畳まれており、折り畳まれた状態の包装体の反発力が高くなり易い。係合テープの接合強度は、幅折り状態における包装体の反発力よりも高いため、個包装状態を維持することができる。
【００８４】
次いで、変形例に係る吸収性物品の包装体について、図８に基づいて説明する。なお、以下の変形例の説明において、上述の実施形態と同様の構成については、同符号を用いて説明を省略する。図８は、変形例に係る吸収性物品の包装体の肌面側から見た平面図である。変形例に係る吸収性物品の包装体１００Ｘは、包装シートの構成が実施形態と同じであり、吸収性物品１Ｘの構成が実施形態と異なっている。変形例に係る吸収性物品１Ｘの吸収コア３０Ｘは、一対の前後折り目ＦＬに挟まれた領域において非肌面側に凹むコア凹部３７を有する。コア凹部３７は、周囲よりも吸収材料の坪量が低い部分であってもよいし、周囲と吸収材料の坪量が同じであるが、周囲よりも密度が高い部分であってもよい。コア凹部３７は、物品幅中心線１ＷＣ上に配置されてよい。接合部６０は、コア凹部３７と重なる領域に配置されてよい。なお、コア凹部３７の少なくとも一部が接合部６０に重なっていてよい。変形例に係る接合部６０は、実施の形態と同様の構成であってよい。一対の前後折り目ＦＬよりも幅方向Ｗの外側の領域は、一対の前後折り目ＦＬを基点によって折り畳まれた状態で、一対の前後折り目ＦＬに挟まれた領域に重なる。一対の前後折り目ＦＬに挟まれた領域にコア凹部３７が設けられているため、一対の前後折り目ＦＬを基点によって折り畳まれた状態で、一対の前後折り目ＦＬに挟まれた領域の厚みが厚くなりすぎることを抑制し、包装体１００Ｘをコンパクトに折り畳みやすくなる。また、接合部６０は、平面視にてコア凹部３７に重なる領域に配置されているため、コア凹部３７が配置された領域の剛性が低くなりすぎることを抑制し、着用時に排泄口に対するフィット性を維持できる。
【００８５】
コア圧搾部３５Ｘは、中央域Ｓ２内においてコア凹部３７を囲んで配置されてよい。コア凹部３７は、中央域Ｓ２内に配置されてよい。すなわち、コア凹部３７の後端縁及び前端縁は、中央域Ｓ２内に位置する。コア圧搾部３５Ｘは、コア凹部３７を囲んでよく、環状であってよい。環状のコア圧搾部３５Ｘは、線状であってもよいし、点状の集合体であってもよい。コア圧搾部３５Ｘも中央域Ｓ２内に配置されてよく、コア圧搾部３５Ｘの後端縁及び前端縁は、中央域Ｓ２内に位置してよい。コア圧搾部３５Ｘは、コア凹部３７に隣接していてもよいし、５ｍｍ以内の範囲でコア凹部３７と離間していてもよい。コア圧搾部３５Ｘは、中央域Ｓ２においてコア凹部３７を囲むように配置されているため、コア圧搾部３５Ｘによってコア凹部３７が配置された領域の剛性を高めることができる。よって、コア凹部３７が配置された領域の剛性が低くなりすぎることを抑制し、着用時に排泄口に対するフィット性を維持できる。
【００８６】
吸収コア３０Ｘの高坪量部３３Ｘは、一対の幅折り目ＦＷによって折り畳まれていない状態において、一対の幅折り目ＦＷよりも後側において、一対の幅折り目ＦＷと重ならない領域に配置されてよい。一対の幅折り目ＦＷによって折り畳まれていない状態とは、図８に示す展開状態である。変形例に係る吸収コア３０Ｘの高坪量部３３Ｘは、一対の幅折り目ＦＷよりも後側において、一対の幅折り目ＦＷと重ならない領域に配置されている。すなわち、高坪量部３３Ｘの前端縁は、第１幅折り目ＦＷ１よりも後側に位置する。高坪量部３３Ｘは、周囲よりも厚みが厚く、高坪量部３３Ｘと幅折り目ＦＷが重なる形態にあっては、幅折り目ＦＷを基点に折り畳む際に折り難いことがある。しかし、高坪量部３３Ｘが一対の幅折り目ＦＷと重ならないため、幅折り目ＦＷを基点にコンパクトに包装体を折り畳み易くなる。また、一対の幅折り目ＦＷを基点に包装体１００Ｘを折り畳む際は、一般的に、一対の幅折り目ＦＷによって挟まれた領域に対して、一対の幅折り目ＦＷよりも後側の領域及び一対の幅折り目ＦＷよりも前側の領域を折り返す。このとき、一対の幅折り目ＦＷよりも後側の領域の剛性を高坪量部３３Ｘによって高めることができ、包装体を安定して折り畳むことができる。
【００８７】
以上、上述の実施形態を用いて本考案について詳細に説明したが、当業者にとっては、本考案が本明細書中に説明した実施形態に限定されるものではないということは明らかである。本考案は、実用新案登録請求の範囲の記載により定まる本考案の趣旨及び範囲を逸脱することなく修正及び変更態様として実施することができる。したがって、本明細書の記載は、例示説明を目的とするものであり、本考案に対して何ら制限的な意味を有するものではない。
【産業上の利用可能性】
【００８８】
装着時の不具合を抑制しつつ、着用時のフィット性を向上できる吸収性物品の包装体を提供することができる。
【符号の説明】
【００８９】
１００、１００Ｘ  ：吸収性物品の包装体
１、１Ｘ      ：吸収性物品
１０    ：肌面シート
１１    ：センタシート
１５    ：シート凹凸部（折曲基点部）
１５１  ：凸部
１５２  ：凹部
１６    ：シート圧搾部（折曲基点部）
３０、３０Ｘ    ：吸収コア
３３、３３Ｘ    ：高坪量部
３５、３５Ｘ    ：コア圧搾部（折曲基点部）
３７    ：コア凹部
６０    ：接合部
６１    ：本体接合部
７０    ：包装シート
７５    ：係合テープ
８０    ：折曲基点部
ＦＬ    ：前後折り目
ＦＬ１  ：第１前後折り目
ＦＬ２  ：第２前後折り目
ＦＷ    ：幅折り目
ＦＷ１  ：第１幅折り目
ＦＷ２  ：第２幅折り目
Ｌ      ：前後方向
Ｓ１    ：前側域
Ｓ２    ：中央域
Ｓ３    ：後側域
Ｔ      ：厚さ方向
Ｔ１    ：肌面側
Ｔ２    ：非肌面側
Ｗ      ：幅方向
【図１】
0003228704.tif 000003
【図２】
0003228704.tif 000004
【図３】
0003228704.tif 000005
【図４】
0003228704.tif 000006
【図５】
0003228704.tif 000007
【図６】
0003228704.tif 000008
【図７】
0003228704.tif 000009
【図８】
0003228704.tif 000010